(57)【要約】【課題】昨今、点眼瓶の大きさ等として従前より一層様々なものが出回っており、例えば胴部分が非常に大きい点眼瓶の場合では、従来の点眼補助具に取り付けたとき安定感に乏しく、点眼し辛いことがある。そこで本発明は点眼操作が容易となる点眼補助具を提供することを目的とする。【解決手段】点眼補助具１０は補助具本体１１と保持部１６から構成される。本体１１には瞼周辺に当接される下側開口部１４と、点眼瓶６０の首部６２を挿着する上側開口部１５が貫通して形成されている。保持部１６は２片の弾性板材１２，１３から構成され、本体１１の上側開口部１５の肩部分１８から立設している。保持部１６が点眼瓶６０の胴部６３を把持し、安定させる。【選択図】図３
2007244510.tif 000002
【特許請求の範囲】
【請求項１】
瞼周辺に当接される下側開口部と、点眼瓶の首部分を挿着する上側開口部が貫通して形成された点眼補助具において、
前記上側開口部に挿着された状態の前記点眼瓶における胴部分を保持する保持部を、前記上側開口部より上方側に立設したものであることを特徴とする点眼補助具。
【請求項２】
前記保持部は、少なくとも２片の弾性板材を備え、これら弾性板材で前記点眼瓶の胴部分を挟持するものである請求項１または２に記載の点眼補助具。
【請求項３】
前記保持部の内側面に、前記点眼瓶の滑り止め部材が添設されたものである請求項２に記載の点眼補助具。
【請求項４】
前記保持部の内側面に、着脱自在な補助パッドが設けられたものである請求項１〜３のいずれかに記載の点眼補助具。
【発明の詳細な説明】
【技術分野】
【０００１】
本発明は、点眼瓶より目薬を注す際に用いる点眼補助具に関するものである。
【背景技術】
【０００２】
目薬を注すにあたっては、顔を上に向けて眼球上方に点眼瓶を位置させ、該点眼瓶から目薬液を滴下させて眼球に供給するという手法がよくとられているが、点眼瓶を眼球上方の中空に正確に位置させることが難しいことから、目薬液を目とは違う所に滴下してしまい、何度もやり直さなければならないということが生じる。
【０００３】
そこでこの様に目薬を上手く注せない人の為に点眼補助具が提案されている。
【０００４】
図６は例えば特許文献１に示される点眼補助具を示す図であり、（ａ）はこの点眼補助具７０の点眼瓶挿入側からの斜視図、（ｂ）は瞼周辺当接側からの斜視図、（ｃ）は底面図、（ｄ）は（ａ）及び（ｃ）に示すＤ−Ｄ線断面図である。また図７の（ａ），（ｂ）はこの点眼補助具７０に、大きさの異なる点眼瓶６８，６９をそれぞれ取り付けた様子を表す断面図である。
【０００５】
上記点眼補助具７０は全体が逆カップ状となっており、カップの開口縁部分が下側開口部７１となり、カップの底部分に上側開口部７６が形成されている。この上側開口部７６は、カップ底から下側開口部７１に向かって垂れ下がる点眼瓶首部挿着座７２を備えており、該挿着座７２の内面は階段状となって、下側（眼球側）に向かって内径が徐々に小さくなっている。尚この点眼補助具７０の胴部分（カップ状の側面部分）７４における長手側の側壁中央部には窪み７３が形成されており、また胴部分７４内側からは挿着座７２と架設する連結リブ７５が設けられている。
【０００６】
点眼補助具７０では、点眼瓶６８，６９の首部６８ａ，６９ａを填め込む挿着座７２が下窄まりになっているから、点眼瓶首部６８ａ，６９ａの大きさが様々であってもそれぞれ適用することができるというものである。
【特許文献１】特開２００２−３６０６６０号公報（図１〜６）
【発明の開示】
【発明が解決しようとする課題】
【０００７】
ところで点眼瓶の大きさや形として、最近では従来よりも一層様々なものが市販（或いは病院等で提供）されるに至り、上記特許文献１の点眼補助具７０の様に、上側開口部７６の挿着座７２の形状だけでは対応しきれないものも出てきた。
【０００８】
つまり、点眼液を収容する部分（胴部分）が非常に大きい点眼瓶の場合には、この点眼瓶首部を点眼補助具７０の挿着座７２で保持しても、点眼瓶胴部分が大きすぎる為に点眼瓶がぐらついて安定感の乏しい状態となるのである。このため使用者は点眼瓶と点眼補助具７０とを手で固定しつつ、点眼するという操作を強いられる。殊に高齢者等にあっては手が不自由な場合がしばしばあり、上記の様に手で固定しながらの点眼操作は困難である。
【０００９】
本発明は上記の様な事情に着目してなされたものであって、その目的は、点眼瓶を安定して保持できて、点眼操作が容易となる点眼補助具を提供することにある。
【課題を解決するための手段】
【００１０】
本発明に係る点眼補助具は、瞼周辺に当接される下側開口部と、点眼瓶の首部分を挿着する上側開口部が貫通して形成された点眼補助具であって、前記上側開口部に挿着された状態の前記点眼瓶における胴部分を保持する保持部を、前記上側開口部より上方側に立設したものであることを特徴とする。
【００１１】
点眼補助具の上側開口部で点眼瓶の首部分が保持されることに加えて、点眼補助具の保持部により点眼瓶の胴部分が保持されるので、点眼瓶が点眼補助具に安定して取り付けられ、ぐらつくことが殆どない。従って使用者にとって点眼操作が簡単となる。
【００１２】
前記保持部としては、少なくとも２片の弾性板材を備え、これら弾性板材で前記点眼瓶の胴部分を挟持するものであることが好ましい。これによれば、弾性板材の弾性力によって挟む方向に常に力が加えられて点眼瓶をしっかりと挟持でき、しかも構造が簡単で製造コストがあまりかからない。尤も弾性板材の弾性力は点眼液を点眼瓶から押し出す程強いものであってはならず、点眼瓶を点眼補助具に保持できる程度の緩やかなものである。具体的には例えば弾性率が７００〜１０００MPa（曲げ強さと曲げ弾性率試験ＩＳＯ１７８の規定で測定）であることが好ましい。
【００１３】
上記弾性板材の１片の大きさとして、縦４０〜５０mm×横４０〜５０mmが好ましい。例えば小さい点眼瓶の場合は、指先で摘む様にして点眼することになり、殊に手の不自由な人にとっては操作し辛い場合もあるが、上記の如くの大きさであれば、弾性板材（保持部）を手で掴み易く、小さい点眼瓶を保持した弾性板材を介して操作（押圧による点眼液の滴下等）できるので、点眼操作がし易くなる。
【００１４】
尚上記２片の弾性板材としては、１片１片が別体となったものの他、２片が連なった形態のものであっても良い。
【００１５】
更に前記保持部の内側面に、滑り止め部材が添設されたものであることが好ましい。保持部として例えば弾性板材を用いた場合に、上述の如く緩やかな弾性力を示すものが望ましいが、この弾性力が緩やか過ぎて且つ内側が滑面であると、点眼瓶がすり抜ける虞がある。しかし上記の如く滑り止め部材を添設することによって、点眼補助具に点眼瓶が一層安定して保持されることとなる。
【００１６】
また前記保持部の内側面に、着脱自在な補助パッドが設けられたものであることが好ましい。例えば２片の弾性板材で構成された保持部によって点眼瓶の胴部分を挟む様にした点眼補助具において、点眼瓶の厚みが薄い場合には２片の弾性板材の間から点眼瓶がすり抜けることとなり、しっかりと保持できない懸念がある。しかし上記補助パッドによって２片の弾性板材により形成された間隔を狭くすることによって、薄い点眼瓶でも点眼補助具に装着することが可能となる。
【００１７】
尚、予め２片の弾性板材の間を狭く構成しておけば、薄い点眼瓶を装着可能であって、また厚い点眼瓶の場合には２片の弾性板材の間を開く様にすれば装着可能であるものの、この場合は、厚い点眼瓶に対して強い挟持力が作用し、中の点眼薬を押し出す（即ち、弾性板材の間に点眼瓶を挟むと点眼瓶滴下口から点眼液が排出される）虞があるから、適切ではない。この点において上記の如く補助パッドを着脱自在に設けたものにあっては、２片の弾性板材の間を比較的厚めの点眼瓶に適応させたものとし、使用者が点眼瓶の厚みに応じて補助パッドを着脱すれば、点眼瓶を強く挟むことなく保持できる。
【００１８】
また補助パッドの厚みとして数種類準備し、上記の如く補助パッドを着脱することにより適当な厚みのパッドに交換する様にしても良い。
【発明の効果】
【００１９】
本発明に係る点眼補助具によれば、たとえ胴部分の大きい点眼瓶等であっても、該点眼補助具に安定してしっかりと保持でき、従って点眼操作が容易となる。
【発明を実施するための最良の形態】
【００２０】
＜実施形態１＞
図１は本発明の実施形態１に係る点眼補助具１０を表す図であり、（ａ）は正面図、（ｂ）は側面図、（ｃ）は（ａ）に示すＣ−Ｃ線断面図である。また図２はこの点眼補助具１０を示す斜視図であり、図３はこの点眼補助具１０に点眼瓶６０を取り付けた様子を表す側面図である。尚本明細書において、点眼補助具を瞼部分に押し当てたときの眉−頬方向（図１に示す矢印Ｚ方向）を前後と称し、目頭−目尻方向（図１に示す矢印Ｘ方向）を左右と称し、眼球からの遠近方向（図１に示す矢印Ｙ方向）を上下と称する。
【００２１】
該点眼補助具１０は補助具本体１１と保持部１６から構成されている。
【００２２】
補助具本体１１は全体が逆カップ状で、カップの開口縁部分が下側開口部１４となり、カップの底部分に上側開口部１５が形成されている。上側開口部１５にはカップ底から下側開口部１４に向かって垂れ下がる点眼瓶首部挿着座１７が備えられている。該挿着座１７は例えばその長さＴ1が１０mm（好ましい範囲としては５〜２０mm）、挿着座上端の内径が１２mm（好ましい範囲としては１０〜１５mm）で、挿着座内面がテーパー状となって下側（眼球側）に向かって内径が徐々に小さくなる円錐台状である（例えば傾斜角度２０°）。そして下側開口部１４と上側開口部１５（挿着座１７）が上下方向（矢印Ｙ方向）に貫通したものとなっている。また挿着座１７の外側と補助具本体の胴部１９内側とを架設する連結リブ２７が設けられ、挿着座１７の安定化が図られている。
【００２３】
下側開口部１４は瞼周辺に当接される部分であって、その開口の形状は楕円形で、開口縁１４ｃは瞼周辺のカーブに対応するように開口の長軸の中心部分１４ａに向かって窪んでいる。開口縁１４ｃのうちこの窪み上がった箇所から上側開口部１５の上端（上側開口部の肩部分１８）までの長さＴ2は挿着座１７の長さＴ1より長く、例えば３５mm（好ましい範囲としては１５〜６０mm）であり、開口縁１４ｃのうち最も下がった箇所（目尻側の箇所）１４ｂから上側開口部１５の上端（肩部分１８）までの長さＴ3はＴ2以上で、例えば４６mm（好ましい範囲としては３０〜６０mm）である。
【００２４】
この様にＴ1＜Ｔ2≦Ｔ3で、且つ上記の如く挿着座内面がテーパー状であるので、上側開口部１５に挿着された点眼瓶６０の滴下口６１と眼球との間に所定の間隙が開けられることとなる。加えて開口縁１４ｃ先端は丸みを帯び、瞼周辺に当接した際に皮膚を傷つけない様になっている。
【００２５】
保持部１６は２片の弾性板材１２，１３から構成され、これら弾性板材１２，１３は長方形の金属製板材（或いは合成樹脂製板材）が縦断面略Ｓ字状となる様に曲げられたものであり、適度な弾性を有する（例えば弾性率７００〜１０００MPa（曲げ強さと曲げ弾性率試験ＩＳＯ１７８の規定で測定））。弾性板材１２，１３は、図１（ｂ），（ｃ）に示す様に上先端を外側に向けて、補助具本体１１の前後位置に互いに対峙する様に配置されて、上側開口部１５の肩部分１８から立設している。
【００２６】
弾性板材１２，１３の外形サイズとしては、縦Ｌ４０．０mm×横Ｗ５０．０mmで、奥行きＳ2が２０．０mmあり、手で掴みやすい大きさとなっている。また弾性板材１２，１３間の最も狭い箇所の幅Ｓ1は１３．０mm（好ましい範囲としては１０〜１５mm）である。
【００２７】
次に実施形態１の点眼補助具１０の使用方法について説明する。
【００２８】
図３に示す様に、蓋を開けた点眼瓶６０の首部６２を点眼補助具１０の挿着座１７に挿入しつつ、点眼瓶６０の胴部６３を弾性板材１２，１３の間に挟み入れる。これにより弾性板材１２，１３は少し押し広げられる様になり、その反発力によって点眼瓶胴部６３を挟持することとなる（矢印Ａ）。この様にして点眼瓶６０が点眼補助具１０にしっかりと固定される。但し弾性板材１２，１３の反発力は点眼瓶６０を把持できる程度の弱いものであり、点眼液が滴下される程ではない。
【００２９】
次に使用者は顔を上に向けつつ下側開口部１４を瞼周囲に当て、点眼瓶６０の滴下口６１が眼球上方に位置する様にする。そして保持部１６（弾性板材１２，１３）の上から（外側から）点眼瓶胴部６３を押して（矢印Ａ）点眼液を滴下する。このとき点眼瓶６０は点眼補助具１０にしっかりと保持されているから、点眼瓶６０はぐらつくことがなく、点眼補助具１０と点眼瓶６０を一体のものとして扱え、点眼操作が簡単となる。またこの様に瞼周囲に押しつけた点眼補助具１０に点眼瓶６０が固定されるから、滴下口６１の位置が安定し、適切な位置に滴下することができる。加えて仮に挿着座１７の大きさに比べて点眼瓶首部６２のサイズが小さすぎても、保持部１６によって点眼瓶６０を固定することができるから、滴下口６１が押し下がって眼球に過度に近接することを避けることができる。
【００３０】
尚、使用後は点眼補助具１０から点眼瓶６０を取り外して蓋をする。
【００３１】
＜実施形態２＞
図４は本発明の実施形態２に係る点眼補助具２０を示す側面図である。尚図１，２と同じ構成部分については同一の符号を付して重複説明を避ける。
【００３２】
本実施形態２の点眼補助具２０における保持部２６は一対の把持部材２２，２３からなり、この把持部材２２，２３は弾性板材１２，１３の内側面に突出部（滑り止め部材）２４が設けられたものである。把持部材２２，２３の弾性板材１２，１３は実施形態１と同様に長方形の板材が縦断面略Ｓ字状となる様に曲げられたものであり、適度な弾性を有する（例えば弾性率７００〜１０００MPa（曲げ強さと曲げ弾性率試験ＩＳＯ１７８の規定で測定））。突出部２４は左右方向線状に２本設けられており、その素材は例えば天然ゴム，合成ゴム，或いはエラストマー類である（静止摩擦係数が０．１〜１．０（プラスチック−フィルム及びシート−摩擦係数試験方法  ＪＩＳ  Ｋ７１２５の規定で測定）が好ましい）。そして把持部材２２，２３は、図４に示す様に上先端を外側に向け、突出部２４を内側に向けて、補助具本体１１の前後位置に互いに対峙する様に配置される様にして上側開口部１５の肩部分１８から立設している。
【００３３】
本実施形態２の点眼補助具２０においては、把持部材２２，２３の弾性力による把持に加えて、突出部２４の滑り止めの作用により、一層しっかりと点眼瓶を保持することができる。
【００３４】
＜実施形態３＞
図５は本発明の実施形態３に係る点眼補助具３０を示す側面図である。尚図１，２と同じ構成部分については同一の符号を付して重複説明を避ける。
【００３５】
実施形態３の点眼補助具３０における保持部３６は、実施形態１の弾性板材１２，１３のそれぞれ内側に補助パッド３４を着脱自在に設けた把持部材３２，３３からなる。
【００３６】
補助パッド３４は着脱自在であるから、例えば点眼瓶が薄い場合には補助パッド３４を取り付けて把持部材３２，３３の間を狭くした後（図５における挟持幅Ｓ3参照）、上記薄い点眼瓶を挟持する様にすれば、しっかりと把持することができる。逆に点眼瓶が太い場合には補助パッド３４を取り外して把持部材３２，３３の間を広くすることにより（図５における挟持幅Ｓ4参照）、把持しやすくなる。また補助パッド３４を取り外すことで、把持部材３２，３３が点眼瓶を過度に押圧することがない。
【００３７】
この様に点眼瓶の胴部分の太さによって補助パッド３４を適宜取り付け、取り外すことで、より一層様々なサイズの点眼瓶に点眼補助具３０を適用することができる。
【００３８】
更に厚みの異なる取替用補助パッド３４を数種類準備して、適宜取り替えられる様にしても良い。
【００３９】
以上の様に、本発明に係る点眼補助具に関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００４０】
例えば上記実施形態１〜３では２片の弾性板材１２，１３や把持部材２２，２３，３２，３３で点眼瓶を挟む様にして保持する構成のものを示したが、これに限らず、３片以上の把持部材（弾性板材）を上から見て円を形成する様に配置し、この円の内側に点眼瓶を装着できる様にしたものでも良い。尚この場合は３片以上の把持部材が放射状に押し広げられ、この反発力で点眼瓶が保持される。
【００４１】
更に上記実施形態１〜３では２片の弾性板材１２，１３や把持部材２２，２３，３２，３３がそれぞれ別体の板で構成されたものを示したが、これに限るものではなく、例えば実施形態１における上記弾性板材１２，１３が連なった形態のもの（即ち、保持部４６が、上側開口部１５に対応する孔４５を備え、この孔４５の両横からそれぞれ弾性板材４２，４３が立ち上がった構成のものである。図８：本発明の他の実施形態に係る点眼補助具４０を示す斜視図）等であっても良い。
【００４２】
また保持部として、厚手のゴム製円筒状部材（或いは円錐台状部材）を用い、この内側に点眼瓶を挿着する様にしても良い。
【００４３】
滑り止め部材としては上記実施形態２の突出部２４の様な線状のものに限らず、例えばドット状（点状に散りばめる）に設けても良い。
【００４４】
加えて上記実施形態１〜３では弾性板材１２，１３が上側開口部１５の肩部分１８から立設するものを挙げたが、これに限るものではなく、例えば弾性板材１２，１３が補助具本体１１の側面に取り付けられて立ち上がったものであっても良い。
【００４５】
更に保持部が補助具本体に対して着脱自在に構成されたもの（例えばネジ止めや嵌め込みによるもの）であっても良い。
【図面の簡単な説明】
【００４６】
【図１】本発明の実施形態１に係る点眼補助具を表す図である。
【図２】実施形態１の点眼補助具を示す斜視図である。
【図３】実施形態１の点眼補助具に点眼瓶を取り付けた様子を表す側面図である。
【図４】本発明の実施形態２に係る点眼補助具を示す側面図である。
【図５】本発明の実施形態３に係る点眼補助具を示す側面図である。
【図６】従来の点眼補助具を表す図である。
【図７】図６に示す点眼補助具に点眼瓶を取り付けた様子を表す断面図である。
【図８】本発明の他の実施形態に係る点眼補助具を示す斜視図である。
【符号の説明】
【００４７】
１０，２０，３０，４０  点眼補助具
１１  補助具本体
１２，１３  弾性板材
１４  下側開口部
１５  上側開口部
１６，２６，３６，４６  保持部
１７  挿着座
１８  肩部分
２２，２３  把持部材
２４  突出部（滑り止め部材）
３４  補助パッド
６０  点眼瓶
【図１】
2007244510.tif 000003
【図２】
2007244510.tif 000004
【図３】
2007244510.tif 000005
【図４】
2007244510.tif 000006
【図５】
2007244510.tif 000007
【図６】
2007244510.tif 000008
【図７】
2007244510.tif 000009
【図８】
2007244510.tif 000010